(57)【要約】【課題】センサーレンズの位置調整の際の回転モーメントの発生を抑え、取り付け位置精度を向上させる。【解決手段】光ピックアップ装置において、センサーレンズを保持するレンズホルダー６１とこのレンズホルダーを光学ベース６２に押圧する弾性部材６３のばね部分６４との接触面の少なくとも一方に金属めっき７１を施す。【選択図】図６
2009217865.tif 000002
【特許請求の範囲】
【請求項１】
光ピックアップ装置において、
センサーレンズを保持するレンズホルダーと該レンズホルダーを光学ベースに向かって押圧する弾性部材との接触面の少なくとも一方に金属めっきを施したことを特徴とする光ピックアップ装置。
【請求項２】
前記金属めっきがフッ素を加えた無電解ニッケルめっきであることを特徴とする請求項１に記載の光ピックアップ装置。
【請求項３】
前記レンズホルダーの上部に突部が形成され、該突部の表面が前記弾性部材との接触面であることを特徴とする請求項１又は２の光ピックアップ装置。
【請求項４】
前記レンズホルダーの下部に位置調整用突起が形成され、該位置調整用突起が前記光学ベースの裏面側に露出していることを特徴とする請求項１，２又は３の光ピックアップ装置。
【請求項５】
前記レンズホルダーの上部の両側部が前記光学ベースの表面側で当該光学ベースに固定され、かつ、前記位置調整用突起が前記光学ベースの裏面側で当該光学ベースに固定されていることを特徴とする請求項４に記載の光ピックアップ装置。
【請求項６】
前記レンズホルダーが樹脂を用いて前記光学ベースに固定されていることを特徴とする請求項５に記載の光ピックアップ装置。
【発明の詳細な説明】
【技術分野】
【０００１】
本発明は、光ピックアップ装置に関し、特に、センサーレンズの取り付け精度を向上させた光ピックアップ装置に関する。
【背景技術】
【０００２】
光ディスクに対する情報の記録又はその再生のために光ピックアップ装置が用いられる。光ピックアップ装置は、光学ベース上に搭載された複数の光学部品を有している。
【０００３】
光学ベースに搭載される光学部品の一つにセンサーレンズがある。センサーレンズは、半導体レーザー素子から出射されたレーザー光を記録媒体の記録面に集光照射したとき、そこから反射されるレーザー光を集光して受光素子へ入射させる。
【０００４】
従来、光学ベースへのセンサーレンズの取り付けは、以下のように行われている。
【０００５】
まず、図１（ａ）に示すように、センサーレンズとレンズホルダーとが一体形成されたレンズ一体型レンズホルダー（以下、単にレンズホルダーという）１１及びその他の光学部品を、光学ベース１２の所定位置に挿入配置する。次に、レンズホルダー１１及びその他の光学部品を覆うように弾性部材（板ばね部材）１３を光学ベース１２に取り付け、図１（ｂ）に示す状態とする。弾性部材１３は、フック及びネジで光学ベース１２に固定される。
【０００６】
弾性部材１３は、ばね部分１４を有しており、これにより、レンズホルダー１１を光学ベース１２に押圧する。その結果、レンズホルダー１１は、垂直方向に関して位置決めされる。また、レンズホルダー１１はその下部に形成された位置調整突起を有しており、この位置調整用突起が光学ベース１２の裏面側に形成された長方形窓内に挿入配置されることで、長方形窓の長手方向（即ち、光軸方向）以外の移動が制限される。
【０００７】
光軸以外の方向に関してレンズホルダー１１の移動を制限した状態で、光学ベース１２の裏面側において位置調整用突起を治具でクランプし、レンズホルダー１１を光軸方向に移動させる。これにより、レンズホルダー１１（即ち、センサーレンズ）の光軸方向の位置調整を行う。位置調整後、固定樹脂（接着剤、紫外線硬化樹脂等）でレンズホルダー１１を光学ベース１２に固定する。
【０００８】
図２（ａ）及び（ｂ）にレンズホルダー１１の周辺を拡大した図を示す。図２（ａ）及び（ｂ）は、レンズホルダー１１と、光学ベース１２の一部及び弾性部材１３の一部とを示しており、それぞれ、図１（ａ）及び（ｂ）に示す状態に対応している。
【０００９】
図２（ａ）及び（ｂ）から理解されるように、レンズホルダー１１は、背高逆蒲鉾型の形状を有する。レンズホルダー１１の上面には、弾性部材１３のばね部分１４との接触面となる表面を持つ突部２１が形成されている。また、レンズホルダー１１の下面（半円筒形部分）には位置調整用突起２２が設けられている。
【００１０】
一方、光学ベース１２には、レンズホルダー１１を受け入れる空所２３が形成されている。この空所２３の幅（図の左右方向）は、レンズホルダー１１の幅よりも僅かに広い。また、空所２３の長さ（矢印Ａ−Ａ方向、光軸方向）は、レンズホルダー１１を所定の距離だけ移動させることができるように、レンズホルダー１１の長さよりも長くしてある。この空所２３の底部は、レンズホルダー１１の半円筒形部分２４と接触する一対のテーパー面２５により構成されている。これら一対のテーパー面２５の間には、位置調整用突起２２を受け入れるための長方形窓２６が形成されている。
【００１１】
光学ベース１２の空所２３にレンズホルダー１１を挿入し、弾性部材１３のばね部分１４でレンズホルダー１１を押圧すると、レンズホルダー１１は、弾性部材１３の押圧力とテーパー面２５からの反作用力とにより、光軸方向以外の方向に関して位置決めされる。この状態で、光学ベース１２の裏面側より長方形窓２６に治具を挿入し、位置調整用突起２２をクランプして、レンズホルダー１１を光軸方向に沿って移動させれば、センサーレンズの光軸方向の位置調整を行うことができる。
【００１２】
なお、光軸を有さない光学部品の傾き調整を容易にする従来の技術として、光学ベースの摺動面や押さえ部材の押付部に揮発性を有する潤滑剤を塗布する技術が知られている（例えば、特許文献１参照）。
【００１３】
【特許文献１】特開２００２−３１９１４７号公報
【発明の開示】
【発明が解決しようとする課題】
【００１４】
上述したように、センサーレンズを保持する（又は一体成形された）レンズホルダーは、光学ベースの空所に挿入され、弾性部材による押圧力Ｆ１によって保持される。その様子を図３（ａ）に示す。図３（ａ）は、レンズホルダー１１を正面から見た図である。この状態で、レンズホルダー１１（及びセンサーレンズ）は、光学ベース１２のテーパー面からの反作用力Ｆ２を受ける。
【００１５】
次に、レンズ１１ホルダーの位置調整用突起２２に位置調整用の力Ｆ３が加わると、レンズホルダー１１は、図３（ｂ）に示すように、テーパー面及び弾性部材からの摩擦力Ｆ４及びＦ５を受ける。図３（ｂ）は、レンズホルダー１１を側面から見た図である。このとき、弾性部材１３による摩擦力Ｆ５は、位置調整用の力Ｆ３を受ける位置調整用突起２２から遠く離れた位置で発生するため、位置調整用の力Ｆ３とともにレンズホルダー１１を回転させる回転モーメントＭを発生させる。
【００１６】
このような回転モーメントＭの発生により、従来の光ピックアップ装置は、センサーレンズ調整の際に、センサーレンズが傾いたり、スムースな移動ができず調整不良が生じたりするという問題点がある。
【００１７】
また、従来のセンサーレンズは、図４に示すようにその上部両側中央に、欠削部４１が形成されている。そして、この欠削部４１に、固定樹脂を塗布し、固化させることで、図５（ａ）及び（ｂ）に示すように、上部両側中央において、固定樹脂５１により光学ベース１２に固定される。通常、レンズホルダー１１は、プラスチック製であるため、雰囲気温度が低下すると図５（ａ）に破線で示すように収縮する。その結果、固定されていないレンズホルダー１１の下部（半円筒形部分）と光学ベース１２のテーパー面との間に隙間Ｓができる。このような状態においても、レンズホルダー１１には、弾性部材からの押圧力Ｆ１が作用する。その結果、従来の光ピックアップ装置には、光軸ずれが生じたり、最悪の場合、固定樹脂の剥離が生じたりするという問題点がある。
【００１８】
そこで、本発明は、センサーレンズの位置調整の際の回転モーメントの発生を抑え、種々の不具合を解決し、取り付け位置精度を向上させることを目的とする。
【００１９】
また、センサーレンズの温度変化による影響を抑え、取り付け位置精度を向上させるとともに信頼性を向上させることを目的とする。
【００２０】
なお、特許文献１には、光軸を有する光学部品、特にセンサーレンズ、についての記載は一切なく、光学部品を光軸方向に移動させて位置調整を行う際に生じる問題点や、その問題点を解決するための手段についてまったく開示も示唆もされていない。
【課題を解決するための手段】
【００２１】
本発明の光ピックアップ装置は、センサーレンズを保持するレンズホルダー（６１）と該レンズホルダーを光学ベース（６２）に向かって押圧する弾性部材（６３）との接触面の少なくとも一方に金属めっき（７１）を施したことを特徴とする。
【００２２】
金属めっきとしては、フッ素を加えた無電解ニッケルめっきを用いることができる。
【００２３】
また、本発明の光ピックアップ装置は、前記レンズホルダーの上部の両側部が前記光学ベースの表面側で当該光学ベースに固定され、かつ、前記レンズホルダーの下部に形成された位置調整用突起（６６）が前記光学ベースの裏面側で当該光学ベースに固定されていることを特徴とする。
【００２４】
なお、上記カッコ内の参照符号は、本願発明の理解を容易にすることを目的とするものであって、なんら本発明を限定するものではない。
【発明の効果】
【００２５】
本発明によれば、レンズホルダーとこのレンズホルダーを押圧する弾性部材との接触面の少なくとも一方に金属めっきを施したことで、これら接触面の間に生じる摩擦力を低減することができる。これにより、レンズホルダーの位置調整時に生じる回転モーメントを抑えることができ、スムースかつ高精度の位置調整を行うことができる。
【００２６】
また、本発明によれば、レンズホルダーの上部側のみならず下部側においても光学ベースへの固定を行うようにしたことで、雰囲気温度の変化に伴うセンサーレンズの位置ずれの発生を抑え、取り付け位置精度及びその信頼性を向上させることができる。
【発明を実施するための最良の形態】
【００２７】
以下、図面を参照して本発明の実施の形態について詳細に説明する。
【００２８】
本発明の一実施の形態に係る光ピックアップ装置の全体構造は、図１（ａ）及び（ｂ）に示す従来の装置と同様である。
【００２９】
即ち、本実施の形態に係る光ピックアップ装置も、光学ベースと、光学ベースに搭載される複数の光学部品とを有している。それらの光学部品には、センサーレンズが含まれる。
【００３０】
センサーレンズを含む光学部品は、光学ベースの所定位置に夫々挿入配置され、光学ベースに取り付け固定される弾性部材によって、押圧保持される。
【００３１】
図６（ａ）及び（ｂ）に、センサーレンズが一体的に形成されたレンズホルダーの周辺を拡大した図を示す。図６（ａ）及び（ｂ）は、レンズホルダー６１と、光学ベース６２の一部及び弾性部材６３の一部を示しており、夫々、組み付け時の状態と組み付け後の状態とを示している。
【００３２】
レンズホルダー６１は、背高逆蒲鉾型の形状を有している。このレンズホルダー６１は、光学ベース６２のセンサーレンズ用空所に挿入配置される。弾性部材６３は、光学ベース６２に固定され、そのばね部分６４は、レンズホルダー６１を光学ベース６２に対して押圧する。
【００３３】
詳述すると、レンズホルダー６１の上面には、弾性部材６３との接触面となる突部６５が形成されている。また、レンズホルダー６１の下面側には、位置調整用突起６６が設けられている。位置調整用突起６６が、光学ベース６２に形成された長方形窓６７内に位置するよう、レンズホルダー６１が光学ベース６２の空所６８に挿入され、半円筒形部分６９が光学ベース６２のテーパー面７０に接触する。弾性部材６３がレンズホルダー６１を押圧することで、レンズホルダー６１の半円筒形部分６９がテーパー面７０に押し付けられ、レンズホルダー６１の光軸方向以外の位置決めがなされる。
【００３４】
本実施の形態では、レンズホルダー６１の上面に形成された突部６５の表面及びこの突部６５が接触する弾性部材６３のばね部分６４の表面の少なくとも一方の面（接触面）に金属めっき７１が施されている。金属めっき７１としては、フッ素を加えた無電解ニッケルめっき（摺動めっき）が使用できる。
【００３５】
レンズホルダー６１の光軸方向の位置調整を行うための力が加わる位置調整用突起６６から遠く離れた位置で摩擦力を発生させる突部６５と弾性部材６３のばね部分６４との接触面の少なくとも一方に金属めっき７１を施すことにより、レンズホルダー６１に発生する回転モーメントを抑えることができる。しかも、従来と比較して、部品構成や調整機構になんら変更を加える必要もない。
【００３６】
なお、ばね部分６４と突部６５の接触面のみならず、レンズホルダー６１の半円筒形部分６９とテーパー面７０との少なくとも一方に金属めっきを施すようにしてもよい。このようにすることで、レンズホルダー６１のよりスムースな移動を実現でき、調整時間の短縮、取り付け位置精度を向上させることができる。
【００３７】
光軸方向の位置調整を終えた後、レンズホルダー６１は、固定樹脂を用いて光学ベース６２に固定される。本実施の形態では、図７（ａ）及び（ｂ）に示すようにレンズホルダー６１の上部両側中央部を固定樹脂７２で固定するのみならず、下部側をも固定樹脂７３で固定する。光学ベース６２の裏面側に露出しているのは、位置調整用突起６６なので、この位置調整用突起６６の下面両側と光学ベース６２とを固定樹脂７３で固定する。固定樹脂７２，７３の塗布位置は、できるだけ光軸に関して点対象の位置となるようにする。
【００３８】
レンズホルダー６１の上面側のみならず下面側をも固定樹脂７２，７３で固定するようにしたことで、雰囲気温度が低下したときのレンズホルダー６１（及びセンサーレンズ）の収縮は、図８に破線で示すようになり、収縮による光軸のずれを抑制できる。また、レンズホルダー６１と光学ベース６２との間に生じる隙間も低減でき、固定樹脂７２，７３の剥離も抑制できる。これらの結果、センサーレンズの取り付け位置制度の向上と信頼性の向上を実現することができる。しかも、従来のものと比べ、部品構成や調整機構になんら変更を加える必要もない。
【００３９】
以上、本発明について一実施の形態に即して説明したが、本発明は上記実施の形態に限定されるものではなく、本発明の範囲から逸脱することなく種々の改良、変更が可能である。
【００４０】
例えば、上記実施の形態ではセンサーレンズ一体型レンズホルダーについて説明したが、センサーレンズとレンズホルダーとが別体として製造され、組み合わされたものであってもよい。
【図面の簡単な説明】
【００４１】
【図１】センサーレンズ、光学ベース及び弾性部材の関係を説明するための図であって、（ａ）は組立時の状態、（ｂ）は組立後の状態を示す斜視図である。
【図２】図１のセンサーレンズの周囲を拡大した図であって（ａ）は組立時の状態、（ｂ）は組立後の状態を示す斜視図である。
【図３】従来の光ピックアップ装置の問題点を説明するための概略図であって、（ａ）はセンサーレンズを正面から見た図、（ｂ）はセンサーレンズを側面から見た図である。
【図４】光学ベースに挿入配置されたセンサーレンズを上方から見た斜視図である。
【図５】従来の光ピックアップ装置の他の問題点を説明するための概略図であって、（ａ）はセンサーレンズを正面から見た図、（ｂ）はセンサーレンズを側面から見た図である。
【図６】本発明の光ピックアップ装置のセンサーレンズの周囲を拡大した図であって（ａ）は組立時の状態、（ｂ）は組立後の状態を示す斜視図である。
【図７】本発明の光ピックアップ装置におけるセンサーレンズの固定について説明するための概略図であって、（ａ）はセンサーレンズを正面から見た図、（ｂ）はセンサーレンズを側面から見た図である。
【図８】本発明の光ピックアップ装置における低温時のセンサーレンズの収縮について説明するための概略図である。
【符号の説明】
【００４２】
１１，６１    レンズホルダー
１２，６２    光学ベース
１３，６３    弾性部材
１４，６４    ばね部分
２１，６５    突部
２２，６６    位置調整用突起
２３，６８    空所
２４，６９    半円筒形部分
２５，７０    テーパー面
２６，６７    長方形窓
４１    欠削部
５１，７２，７３    固定樹脂
７１    金属めっき
【図１】
2009217865.tif 000003
【図２】
2009217865.tif 000004
【図３】
2009217865.tif 000005
【図４】
2009217865.tif 000006
【図５】
2009217865.tif 000007
【図６】
2009217865.tif 000008
【図７】
2009217865.tif 000009
【図８】
2009217865.tif 000010